【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
一対の管要素を終端同士にて固定する封止部材と、同封止部材に係合する一対の管要素の終端部分とを跨いで位置される互に連結可能な一対の管継手セグメントであって、各管継手セグメントが、
前記管要素の外面に係合する一対のアーチ状面を有する単一体と、
前記単一体の互いに対向する側において、前記アーチ状面のいずれかに隣接し、かつ互いに離間して平行に延びる第１及び第２の平坦面と、
一方の管継手セグメントを他方の管継手セグメントに対して調節可能に接続すべくアーチ状面の互いに対向する終端に設けられ、両管継手セグメントを調節可能に締め付ける第１の接続部材および第２の接続部材と、
各管継手セグメントの両端面間において両アーチ状面間に位置し、管継手セグメントの内周面に沿って周方向に延び、前記第１及び第２の平坦面間に延びる第２の軸と直交する第１の軸を中心に、前記第１及び第２の平坦面と平行に延びる基準線に対して所定角度を回動した位置に設けられる空洞と
を備えることを特徴とする互に連結可能な管継手セグメント。
【請求項２】
一対の管要素を終端同士にて固定する封止部材と、同封止部材に係合する一対の管要素の終端部分とを跨いで位置される管継手であって、前記管継手が、
前記管要素の外面に係合される一対のアーチ状面を有する単一体をそれぞれが備えた第１及び第２の管継手セグメントと、
前記単一体の互いに対向する側において、前記アーチ状面のいずれかに隣接し、かつ互いに離間して平行に延びる第１の平坦面及び第２の平坦面と、
一方の管継手セグメントを他方の管継手セグメントに対して調節可能に接続すべくアーチ状面の互いに対向する終端に設けられ、両管セグメントを調節可能に締め付ける第１接続部材および第２接続部材と、
各管継手セグメントの両端面間において両アーチ状面間に位置し、管継手セグメントの内周面に沿って周方向に延び、前記第の平坦面１及び第２の平坦面間に延びる第２の軸と直交する第１の軸を中心に、前記第１の平坦面及び第２の平坦面と平行に延びる基準線に対して角度をなして設けられる空洞と
を備えることを特徴とする管継手。
【請求項３】
一対の管要素を終端同士にて固定する封止部材と、同封止部材に係合する一対の管要素の終端部分とを跨いで位置される管継手であって、前記管継手が、
前記管要素の外面に係合される一対のアーチ状面を有する単一体をそれぞれが備えた第１及び第２の管継手セグメントと、
各管継手セグメントにおいて単一体の互いに対向する側にてアーチ状面のいずれかに隣接し、かつ互いに離間して平行に延びる第１の平坦面及び第２の平坦面と、
各管継手セグメントにおいて一方の管継手セグメントを他方の管継手セグメントに対して調節可能に接続すべくアーチ状面の互いに対向する終端に設けられ、両管継手セグメントを調節可能に締め付ける第１の接続部材および第２の接続部材と、
各管継手セグメントにおいて、それぞれが第１の接続部材及び第２の接続部材に隣接して設けられた第１の角度をもって配向された面及び第２の角度をもって配向された面と、前記第１の角度をもって配向された面と前記第２の角度をもって配向された面とは互いに対向する斜面を備え、第１の管継手セグメントの第１角度をもって配向された面及び第２の角度をもって配向された面はそれぞれ第２の管継手セグメントの第１の角度をもって配向された面及び第２の角度をもって配向された面に対向するように位置されて、両管継手セグメントが互いに引き付けられたときに互いに係合し合い、一方の管継手セグメントの第１の接続部材及び第２の接続部材の間に延びる第２の軸に直交する第１の軸を中心に両管継手セグメントが相対回動することと、
各管継手セグメントの第１及び第２の角度をもって配向された面の間に延び、且つ両アーチ状面間に位置し、管継手セグメントの内周面に沿って周方向に延びる空洞と、同空洞は複数の部分に分割され、これら分割された部分のうちの少なくとも１つの部分は前記第１の軸を中心に、前記第１の平坦面及び第２の平坦面と平行に延びる基準線に対して所定角度を回動した位置に設けられることと
からなる管継手。
【請求項４】
前記空洞が前記管継手セグメントの互いに対向する終端に隣接してそれぞれ設けられる第１終端部分および第２終端部分とこれら終端部分間に設けられる中間部分とに分割され、前記終端部分が第１の軸を中心に基準線に対して所定角度を回動した位置に設けられることを特徴とする請求項３に記載の管継手。
【請求項５】
前記終端部分はアーチ状面の空洞の中心に対してそれぞれ４５°の角度をなし、中間部分がアーチ状面の空洞の中心に対して９０°の角度をなすことを特徴とする請求項３に記載の管継手。
【請求項６】
前記終端部分が、基準線に対して６°未満の角度をなすことを特徴とする請求項３に記載の管継手。
【請求項７】
前記終端部分が基準線に対する回動角が１／４°と６°との間の角度をなすことする請求項３に記載の管継手。
【請求項８】
一対の管要素を終端同士にて固定する封止部材と、同封止部材に係合する一対の管要素の終端部分とを跨いで位置される互に連結可能な一対の管継手セグメントであって、各管継手セグメントが、
前記管要素の外面に係合される一対のアーチ状面を有する単一体と、
前記単一体の互いに対向する側において、前記アーチ状面のいずれかに隣接し、かつ互いに離間して平行に延びる第１の平坦面及び第２の平坦面と、
一方の管継手セグメントを他方の管継手セグメントに対して調節可能に接続すべく各アーチ状面の互いに対向する終端に設けられ、両管継手セグメントを調節可能に締め付ける第１の接続部材および第２の接続部材と、
前記管継手セグメントを、前記第１の接続部材と第２の接続部材との間に延びる第２の軸に対して直交する第１の軸を中心に第１の方向へ回動させる手段と、
各管継手セグメントの両端面間において第１のアーチ状面及び第２のアーチ状面間に位置するとともに、複数個の部分に分割され、これら複数個の部分のうちの少なくとも１つの部分が管継手セグメントの内周面に沿って周方向に延び、且つ、前記第１の軸を中心に第１及び第２の平坦面と平行に延びる基準線に対して所定角度を回動した位置に設けられる空洞とを備えることを特徴とする互に連結可能な管継手セグメント。
【請求項９】
前記空洞は基準線に対して４°未満の角度をなすことを特徴とする請求項８に記載の互に接続可能な管継手セグメント。
【請求項１０】
前記空洞が基準線に対して１／４°と４°との間の角度をなすことを特徴とする請求項８に記載の互に接続可能な管継手セグメント。
【請求項１１】
前記空洞は第１の軸を中心に第１の方向と反対の第２の方向に回動した位置にある請求項８に記載の互に接続可能な管継手セグメント。
【請求項１２】
前記空洞が互いに離間して設けられる第１の側壁および第２の側壁と、これら第１の側壁及び第２の側壁に取り付けられる後壁とを備えることを特徴とする請求項８に記載の互に接続可能な管継手セグメント。
【請求項１３】
前記第１の接続部材及び第２の接続部材はそれぞれ各管継手セグメントの終端から外側に突出する一対の突起を備え、前記突起間には第１の管継手セグメント及び第２の管継手セグメントを調節可能に連結する締め付け具が配置可能であり、この締め付け具が両管継手セグメントのアーチ状面を互いに接近する方向に引き寄せて管要素の外周面と係合するように調節可能に締め付けできることを特徴とする請求項８に記載の互に接続可能な管継手セグメント。
【請求項１４】
前記突起のうち少なくとも１つが締め付け具を保持するための開口を有するラグを備えることを特徴とする請求項８に記載の互に接続可能な管継手セグメント。
【請求項１５】
前記回動させる手段が、各管継手セグメントにおいて第１の接続部材及び第２の接続部材にそれぞれ隣接する第１の角度をなす面及び第２の角度をなす面を備え、これら第１の角度をなす面及び第２の角度をなす面が逆の勾配を有し、一方の管継手セグメント上の第１の角度をなす面と第２の角度をなす面がそれぞれ、他方の管継手セグメント上の第１の角度をなす面と第２の角度をなす面と対向して位置し、両管継手セグメントが引き寄せられると、両管継手セグメントが第１の軸を中心に相対回動して互いに係合することを特徴とする請求項８に記載の互に接続可能な管継手セグメント。
【請求項１６】
前記アーチ状面が径方向内側に向けて突出することを特徴とする請求項８に記載の互いに連結可能な管継手セグメント。
【請求項１７】
前記アーチ状面が管継手セグメントに沿って連続することを特徴とする請求項１６に記載の互いに連結可能な管継手セグメント。
【請求項１８】
一対の管要素を終端同士にて固定する封止部材と、同封止部材に係合する一対の管要素の終端部分とを跨いで位置される互に連結可能な管継手であって、各管継手が、
前記管要素の外面に連結される一対のアーチ状面を有する単一体を備えた第１の管継手セグメント及び第２の管継手セグメントと、
各管継手セグメントは前記単一体の互いに対向する側において、前記アーチ状面のいず
れかに隣接し、かつ互いに離間して平行に延びる第１の平坦面及び第２の平坦面を有することと、
各管継手セグメントは、一方の管継手セグメントを他方の管継手セグメントに対して調節可能に接続すべく各アーチ状面の互いに対向する終端に設けられ、両管継手セグメントを調節可能に締め付ける第１の接続部材および第２の接続部材を備えることと、
各管継手セグメントは、第１の接続部材と第２の接続部材との間に延びる第２の軸に対して直交する第１の軸を中心に第１の管継手セグメントを第１の方向へ、第２の管継手セグメントを第１の方向とは反対の第２の方向へ回動させる手段を備えることと、
各管継手セグメントは、同管継手セグメントの両端面間において両アーチ状面間に位置し、管継手セグメントの内周面に沿って周方向に延び、且つ、前記第１の軸を中心に第１及び第２の平坦面と平行に延びる基準線に対して回動するように設けられる空洞を備えることと
からなる管継手。
【請求項１９】
前記空洞は基準線に対して４°未満の角度をなすことを特徴とする請求項１８に記載の管継手。
【請求項２０】
前記空洞が基準線に対して１／４°と４°との間の角度をなすことを特徴とする請求項１８に記載の管継手。
【請求項２１】
前記第１の管継手セグメントの空洞は第１の軸を中心に第２の方向に回動した位置にあり、第２の管継手セグメントの空洞は第１の軸を中心に第１の方向に回動した位置にある請求項１８に記載の管継手。
【請求項２２】
前記空洞が互いに離間して設けられる第１の側壁および第２の側壁と、これら第１の側壁及び第２の側壁に取り付けられる後壁とを備えることを特徴とする請求項１８に記載の管継手。
【請求項２３】
前記封止部材は円環状の可撓性を有する弾性シールからなり、この弾性シールが第１の管継手セグメント及び第２の管継手セグメントの空洞内に配置されている請求項１８に記載の管継手。
【請求項２４】
前記回動させる手段が、各管継手セグメントにおいて第１の接続部材及び第２の接続部材にそれぞれ隣接する第１の角度をなす面及び第２の角度をなす面を備え、これら第１の角度をなす面及び第２の角度をなす面が対向する勾配を有し、第１の管継手セグメント上の第１の角度をなす面と第２の角度をなす面がそれぞれ、第２の管継手セグメント上の第１の角度をなす面と第２の角度をなす面と対向して位置し、両管継手セグメントが引き寄せられると、両管継手セグメントが第１の軸を中心に相対回動して互いに係合することを特徴とする請求項１８に記載の管継手。
【請求項２５】
前記アーチ状面が径方向内側に向けて突出することを特徴とする請求項１８に記載の管継手。
【請求項２６】
前記アーチ状面が管継手セグメントに沿って連続することを特徴とする請求項２５に記載の管継手。
【請求項２７】
各接続部材が各管継手セグメントの終端から外側に突出する一対の突起を備え、前記突起間には両管継手セグメントを調節可能に連結する締め付け具が配置可能であり、この締め付け具が管継手セグメントのアーチ状面を互いに接近する方向に引き寄せ、アーチ状面を管要素の外周面と係合するように調節可能に締め付けできることを特徴とする請求項１
８に記載の管継手。
【請求項２８】
前記突起のうち少なくとも１つが締め付け具を保持するための開口を有するラグを備えることを特徴とする請求項２７に記載の管継手。
【請求項２９】
一対の管要素を終端同士にて固定する封止部材と、同封止部材に係合する一対の管要素の終端部分とを跨いで位置される互に連結可能な一対の管継手セグメントであって、各管継手セグメントが、
前記管要素の外面に連結される一対のアーチ状面を有する単一体と、
前記単一体の互いに対向する側において、前記アーチ状面のいずれかに隣接し、かつ互いに離間して平行に延びる第１の平坦面及び第２の平坦面と、
一方の管継手セグメントを他方の管継手セグメントに対して調節可能に接続すべく各アーチ状面の互いに対向する終端に設けられ、両管継手セグメントを調節可能に締め付ける第１の接続部材および第２の接続部材と、
それぞれが第１の接続部材及び第２の接続部材に隣接して設けられた第１の角度をもって配向された面及び第２の角度をもって配向された面と、前記第１の角度をもって配向された面と前記第２の角度をもって配向された面とは互いに対向する斜面を備え、第１の管継手セグメントの第１及び第２の角度をもって配向された面はそれぞれ第２の管継手セグメントの第１及び第２の角度をもって配向された面に対向するように位置されて、両管継手セグメントが互いに引き付けられたときに互いに係合し合い、一方の管継手セグメントの第１の接続部材及び第２の接続部材の間に延びる第２の軸に直交する第１の軸を中心に両管継手セグメントが相対回動することと、
各管継手セグメントの両端面間において第１のアーチ状面及び第２のアーチ状面間に位置するとともに、複数個の部分に分割され、これら複数個の部分のうちの少なくとも１つの部分が管継手セグメントの内周面に沿って周方向に延び、且つ、前記第１の軸を中心として、第１及び第２の平坦面と平行に延びる基準線に対して回動した軌跡上に設けられる空洞と
を有する互いに連結可能な管継手セグメント。
【請求項３０】
前記空洞は管継手セグメントの対向する端部に位置する第１の終端部分と第２の終段部分と、これら第１の終端部分と第２の終端部分との間に位置する中間部分とに分割され、第１の終端部分及び第２の終端部分は第１の軸を中心として基準線に対し回動した軌跡上にあることを特徴とする請求項２９に記載の互いに連結可能な管継手セグメント。
【請求項３１】
前記第１の終端部分と第２の終端部分とはアーチ状面の中心から４５°離間し、中間部分はアーチ状面の中心から３０°離間していることを特徴とする請求項３０に記載の互いに連結可能な管継手セグメント。
【請求項３２】
両終端部分が、基準線に対して６°未満の回動をした位置にあることを特徴とする請求項３０に記載の互いに連結可能な管継手。
【請求項３３】
前記終端部分が回動可能に設けられ、基準線に対して１／４°乃至６°の回動をした位置にあることする請求項３０に記載の互いに連結可能な管継手。